(57)【要約】      （修正有）【課題】保護カバーの位置決めのための止めビスを不要にし、ガイド軸の位置調整のための調整用スプリングなどを一体に設け、調整用スプリングなどを不要にする。【解決手段】位置決め孔２２と位置決め突起１２との嵌合構造によって保護カバー２をシャーシ１に水平方向で位置決めする。ガイド軸５１，５５を支持する軸受機構６を、基準軸受機構６０と、第１調整用軸受機構７０と、第２調整用軸受機構９０Ａと、第３調整用軸受機構９０Ｂとに分ける。基準軸受機構６０は基準軸受面と保護カバー２に設けたばね部とを有する。第１調整用軸受機構７０は、入隅形状の調整用軸受面と、ガイド軸を調整用軸受面に押し付ける横押しばね部及び下押しばね部と調整用ねじとを有する。保護カバー２を連結片によってガイド軸に連結する。【選択図】図１
2011096302.tif 000002
【特許請求の範囲】
【請求項１】
シャーシと、シャーシに被せられた保護カバーと、これらのシャーシと保護カバーとの相互間空間に水平方向横並びに配備される一対のガイド軸と、一対の上記ガイド軸のそれぞれの一端部及び他端部の４箇所を支持する軸受機構と、上記ガイド軸に案内されて上記保護カバーに形成された開口内で往復移動可能な光ピックアップと、上記シャーシに取り付けられて上記相互間空間の外側の上記光ピックアップとの対向位置でディスクを回転させるターンテーブルと、を備えるディスク装置において、
上記保護カバーに形成された位置決め孔と上記シャーシに形成されて上記位置決め孔に上下変位可能に嵌合された位置決め突起との嵌合構造を介して保護カバーがシャーシに対して水平方向で位置決めされ、
上記軸受機構が、一方側のガイド軸の一端部を支持する１つの基準軸受機構と、一方側のガイド軸の他端部を支持してそのガイド軸の位置調整機能を備えた第１調整用軸受機構と、他方側のガイド軸の一端部を支持してそのガイド軸の位置調整機能を備えた第２調整用軸受機構と、他方側のガイド軸の他端部を支持してそのガイド軸の位置調整機能を備えた第３調整用軸受機構と、に分かれ、
上記基準軸受機構が、上記シャーシに設けられた水平面と垂直面とによって形成されている入隅形状の基準軸受面と、上記保護カバーに設けられて上記基準軸受面にガイド軸を押し付けているばね部と、を有し、
第１〜第３のそれぞれの上記調整用軸受機構が、上記シャーシに設けられた水平面と垂直面とによって形成されている入隅形状の調整用軸受面と、対応するガイド軸を調整用軸受面の上記垂直面に押し付けている横押しばね部と、対応するガイド軸を調整用軸受面の上記水平面側に弾圧している下押しばね部と、この下押しばね部の付勢に抗して、又は、この下押しばね部の付勢により、当該ガイド軸を調整用軸受面の上記垂直面に沿って変位させる調整用ねじと、を有し、
上記横押しばね部と上記下押しばね部とが上記保護カバーに設けられていると共に、その保護カバーには、一対の上記ガイド軸のそれぞれに当該保護カバーを連結している連結片が設けられていることを特徴とするディスク装置。
【請求項２】
上記基準軸受機構のばね部と、第１〜第３の上記調整用軸受機構の横押しばね部と、が板金製の上記保護カバーに一体に切起し形成された板ばね部でなり、かつ、第１〜第３の上記調整用軸受機構の下押しばね部が上記横押しばね部に折曲形成された板ばね部でなると共に、第１〜第３の上記調整用軸受機構の連結片が上記横押しばね部に折曲形成され、
上記連結片は、その先端部に形成された横向き凹入部が上記ガイド軸に嵌合されることによって当該ガイド軸に連結されていると共に、この連結片を介して上記横押しばね部の弾発力が上記ガイド軸に付与されるように構成されている請求項１に記載したディスク装置。
【請求項３】
第１〜第３の上記調整用軸受機構の調節用軸受面を形成している水平面が上記シャーシに具備されている水平片部の上面によって形成されていると共に、上記調整用ねじが上記水平片部を貫通するねじ孔にねじ込まれて、対応するガイド軸の外周面に突き当てられている請求項２に記載したディスク装置。
【請求項４】
上記下押しばね部を上記水平片部の下面に弾接させることによって、対応するガイド軸を、上記連結片を介して調整用軸受面の上記水平面側に弾圧させている請求項２又は請求項３に記載したディスク装置。
【発明の詳細な説明】
【技術分野】
【０００１】
本発明は、ディスク装置、特に、シャーシに保護カバーが被せられ、保護カバーに形成された開口内で往復移動される光ピックアップが、シャーシと保護カバーとの相互間空間に水平方向横並びに配備された一対のガイド軸によって案内され、しかも、光ピックアップとの対向位置でディスクを回転させるターンテーブルを備えているディスク装置に関する。
【背景技術】
【０００２】
図９は従来例としてのディスク装置の概略斜視図である。同図において、１はシャーシ（トラバースシャーシ）、２はシャーシ１に被せられた保護カバーであり、保護カバー２は、複数箇所（図例では３箇所）がシャーシ１に止めビス１１を用いてビス止めされている。したがって、従来例のディスク装置では、保護カバー２をシャーシ１に位置決めに用いる複数本（図例では３本）の止めビス１１を必要としている。
【０００３】
また、光ピックアップ３が保護カバー２に形成されている縦長の開口２１内で往復移動可能とされ、その往復移動が主軸と副軸とを形成している一対のガイド軸（図１には現れていない）によって案内されるようになっていると共に、保護カバー２の外側（上側）にはターンテーブル４が配備されている。
【０００４】
図１０は図９のディスク装置の内部構造を拡大して概略で示した部分縦断側面図である。上記した一対のガイド軸は、シャーシ１と保護カバー２との相互間空間Ｓに水平方向横並びに配備されているけれども（図９に横方向を矢印Ｘで示してある）、図１０では一対のガイド軸のうちの一方側のガイド軸５１だけが示されている。ターンテーブル４を回転駆動するためのモータ４１が、シャーシ１に設置されているベースプレート４２に装備されて上記相互間空間Ｓに収容されている。そして、ターンテーブル４に載架された記録媒体としてのディスクＤがモータ４１によって光ピックアップ３との対向位置で回転され、その回転中に光ピックアップ３が開口２１内でディスクＤの半径方向に移動してディスクＤの記録面の光学的処理を行う。この種のディスク装置では、その光学性能を向上させるために光ピックアップ３の位置調整という対策が講じられる。光ピックアップの位置調整は、一方側のガイド軸５１や図に現れていない他方側のガイド軸の位置調整を通じて行われる。
【０００５】
従来例のディスク装置では、シャーシ１に設けられた一方側のガイド軸５１を支持している軸受機構６に位置調整機能が付与されていて、その軸受機構６の位置調整機能を用いて一方側のガイド軸５１の位置調整が行われるようになっている。図１０では図示していないけれども、シャーシ１に設けられた軸受機構６に付与されている位置調整機能は、軸受面、シャーシ１を軸受面側に押し付けるコイルばねでなる調整用スプリング、この調整用スプリングの付勢に抗して、又は、この調整用スプリングの付勢により、ガイド軸５１を変位させる調整用ねじ、などの組み合わせによって発揮される。このような位置調整機能の付与された軸受機構６は、一方側のガイド軸５１の一端部や他端部のほか、図示していない他方側のガイド軸の一端部や他端部を支持することに用いられている。したがって、従来例のディスク装置では、最少でも４本のコイルばねでなる調整用スプリング、４本の調整用ねじなどの部品を必要としている。
【０００６】
さらに、従来例のディスク装置では、シャーシ１と保護カバー２との相互間空間Ｓに水平方向横並びに配備されている一対のガイド軸（図１０には一方側のガイド軸が符号５１で示されている）の位置調整幅をあらかじめ勘案した縦幅Ｈ１が上記相互間空間Ｓに付与されている必要がある（図１０に縦方向を符号Ｙで示してある）。そのため、たとえばノートパソコンなどに組み込まれるディスク装置のように、ターンテーブル４に載架されたディスクＤを含む当該ディスク装置の厚さ寸法が、その組込みスペースとの関係で一定値以下に制限されている場合には、保護カバー２とターンテーブル４に載架されたディスクＤとの隙間Ｃ１を十分に広くして余裕を持たせることができないことがあり、その結果、偏重心を持つディスクＤが回転中に面振れして保護カバー２に干渉するという好ましくない事態の起こるおそれがあった。以下、上記隙間Ｃ１を面振れ許容隙間Ｃ１という。
【０００７】
その反面で、面振れ許容隙間Ｃ１を十分に広くして余裕を持たせようとすると、上記相互間空間Ｓに十分な縦幅Ｈ１を付与することが困難になるので、シャーシ１の寸法公差などの影響によって、上記相互間空間Ｓ内の光ピックアップ３と保護カバー２との隙間Ｃ２を確保しにくくなり、その結果として、ガイド軸の位置調整範囲が狭くなるおそれがあった。以下、この隙間Ｃ２をガイド軸調整用隙間Ｃ２という。ガイド軸の位置調整には、図１０に例示したガイド軸５１の傾角θの調整（傾角調整）が含まれている。
【０００８】
一方、先行例では、光ディスク装置において、面振れ許容隙間を十分に広く確保することによって、光ディスクが面振れしても保護カバーに干渉しないようにするための対策が提案されている（たとえば、特許文献１参照）。この特許文献１によって提案されている光ディスク装置を図１１及び図１２に示してある。
【０００９】
図１１は特許文献１によって提案されている光ディスク装置の概略平面図、図１２は同光ディスク装置の内部構造を拡大して概略で示した部分縦断側面図である。なお、図１１及び図１２では、説明の便宜上、図９及び図１０で説明したディスク装置の要素に相応する要素には同一の名称及び符号を付してある。
【００１０】
図１１のように、この光ディスク装置では、シャーシ１に保護カバー２が被せられていて、その保護カバー２がシャーシ１に固定されている。また、保護カバー２の４箇所に当接部イが形成されている。そして、それら４箇所の当接部イが、一対のガイド軸５１，５５のそれぞれの一端部と他端部とに当接されていると共に、同図に示したように、保護カバー２にはばね性を有するヒンジ部ロを具備させ、そのヒンジ部ロの先端をシャーシ１に弾接させている。図１２には１箇所の当接部イがガイド軸５５の一端部に当接している状態が示されている。
【００１１】
また、他の先行例には、入隅状の軸受面と、その軸受面にガイド軸を押し付ける板ばねと、を組み合わせたガイド軸の高さ調整のための構造が示されている（たとえば、特許文献２参照）。
【先行技術文献】
【特許文献】
【００１２】
【特許文献１】特開２００４−１１０９７３号公報
【特許文献２】特開２００６−２５２６８４号公報
【発明の概要】
【発明が解決しようとする課題】
【００１３】
上記したように、図９及び図１０を参照して説明した従来例のディスク装置では、保護カバー２がシャーシ１にビス止めによって固定されていたために、一対のガイド軸の位置調整幅をあらかじめ勘案した縦幅Ｈ１をシャーシ１と保護カバー２との相互間空間Ｓに付与すると、面振れ許容隙間Ｃ１を十分に広くして余裕を持たせることができない。その反面で、面振れ許容隙間Ｃ１を十分に広くして余裕を持たせようとすると、上記相互間空間Ｓに十分な縦幅Ｈ１を付与することが困難になるので、シャーシ１の寸法公差などの影響によって十分な広さのガイド軸調整用隙間Ｃ２を確保しにくくなり、ガイド軸の位置調整範囲が狭くなる。したがって、従来例のディスク装置では、面振れ許容隙間Ｃ１を十分に広くして余裕を持たせることと、上記相互間空間Ｓに十分な縦幅Ｈ１を付与してガイド軸調整用隙間Ｃ２を十分に広くするとと、が二律背反する事項になっていた。
【００１４】
一方、上掲の特許文献１によって提案されている光ディスク装置では、保護カバー２の当接部イがガイド軸の端部に当接しているので、ヒンジ部ロの弾性変形作用を通じてガイド軸５１，５２の高さ調整に追従して保護カバー２の位置が変化する。そのため、ガイド軸によって案内される光ピックアップ３と保護カバー２との隙間（ガイド軸調整用隙間）を一定に保つことが可能になる。しかしながら、この特許文献１には、ガイド軸の軸受機構やその軸受機構にガイド軸の位置調整機能を付与するための構成が示されていないので、冒頭で説明したような従来例のディスク装置についての問題点、すなわち、保護カバー２をシャーシ１に位置決めすることに用いる複数本（図例では３本）の止めビス１１を必要としているという問題点や、位置調整機能を付与するための調整用スプリングを必要としているという問題点を改善することができない。また、保護カバー２にヒンジ部ロを具備させることを要するといった余分な加工が必要になる。
【００１５】
また、上掲の特許文献２によって提案されている位置調整機能の付与のための構成では、シャーシや保護カバーとは別体の板ばねを用いてガイド軸を軸受面に押し付ける構成を採用しているので、その板ばねが余分に必要になっで部品点数や組立工数の増加を来すという問題点がある。
【００１６】
本発明は以上の状況に鑑みてなされたものであり、ガイド軸の位置調整に追従して保護カバーの位置が変化するという対策を講じた上で、保護カバーをシャーシに位置決めすることに用いる止めビスが不要になり、ガイド軸の位置調整機能を付与するためのコイルばねでなる調整用スプリングが不要になり、さらに、シャーシや保護カバーとは別体の板ばねを用いてガイド軸を軸受面に押し付ける構成を採用することが不要になるディスク装置を提供することを目的とする。
【課題を解決するための手段】
【００１７】
本発明に係るディスク装置は、シャーシと、シャーシに被せられた保護カバーと、これらのシャーシと保護カバーとの相互間空間に水平方向横並びに配備される一対のガイド軸と、一対の上記ガイド軸のそれぞれの一端部及び他端部の４箇所を支持する軸受機構と、上記ガイド軸に案内されて上記保護カバーに形成された開口内で往復移動可能な光ピックアップと、上記シャーシに取り付けられて上記相互間空間の外側の上記光ピックアップとの対向位置でディスクを回転させるターンテーブルと、を備えている。
【００１８】
そして、上記保護カバーに形成された位置決め孔と上記シャーシに形成されて上記位置決め孔に上下変位可能に嵌合された位置決め突起との嵌合構造を介して保護カバーがシャーシに対して水平方向で位置決めされている。この構成を採用したことにより、保護カバーをシャーシに位置決めすることに用いる止めビスが不要になる。
【００１９】
また、上記軸受機構が、一方側のガイド軸の一端部を支持する１つの基準軸受機構と、一方側のガイド軸の他端部を支持してそのガイド軸の位置調整機能を備えた第１調整用軸受機構と、他方側のガイド軸の一端部を支持してそのガイド軸の位置調整機能を備えた第２調整用軸受機構と、他方側のガイド軸の他端部を支持してそのガイド軸の位置調整機能を備えた第３調整用軸受機構と、に分かれていて、上記基準軸受機構が、上記シャーシに設けられた水平面と垂直面とによって形成されている入隅形状の基準軸受面と、上記保護カバーに設けられて上記基準軸受面にガイド軸を押し付けているばね部と、を有し、第１〜第３のそれぞれの上記調整用軸受機構が、上記シャーシに設けられた水平面と垂直面とによって形成されている入隅形状の調整用軸受面と、対応するガイド軸を調整用軸受面の上記垂直面に押し付けている横押しばね部と、対応するガイド軸を調整用軸受面の上記水平面側に弾圧している下押しばね部と、この下押しばね部の付勢に抗して、又は、この下押しばね部の付勢により、当該ガイド軸を調整用軸受面の上記垂直面に沿って変位させる調整用ねじと、を有する。この構成を採用したことにより、ガイド軸の位置調整機能を付与するためのコイルばねでなる調整用スプリングが不要になり、さらに、シャーシや保護カバーとは別体の板ばねを用いてガイド軸を軸受面に押し付ける構成を採用することが不要になる。
【００２０】
さらに、上記横押しばね部と上記下押しばね部とが上記保護カバーに設けられていると共に、その保護カバーには、一対の上記ガイド軸のそれぞれに当該保護カバーを連結している連結片が設けられている。この構成を採用したことにより、ガイド軸の位置調整に追従して保護カバーの位置が変化することになる。そのため、ガイド軸の位置調整を行ってもガイド軸調整用隙間が一定に保たれるようになり、そのことがシャーシと保護カバーとの相互間空間の高さを低く抑えて面振れ許容隙間を広く確保することに役立つ。
【００２１】
本発明では、上記基準軸受機構のばね部と、第１〜第３の上記調整用軸受機構の横押しばね部と、が板金製の上記保護カバーに一体に切起し形成され、かつ、第１〜第３の上記調整用軸受機構の下押しばね部が上記横押しばね部に折曲形成されていると共に、第１〜第３の上記調整用軸受機構の連結片が上記横押しばね部に折曲形成され、上記連結片は、その先端部に形成された横向き凹入部が上記ガイド軸に嵌合されることによって当該ガイド軸に連結されていると共に、この連結片を介して上記横押しばね部の弾発力が上記ガイド軸に付与されるように構成されていることが望ましい。この構成であると、第１〜第３の調整用軸受機構の横押しばね部と下押しばね部とを保護カバーの別々の箇所に形成する必要がなくなるために、保護カバーの切起し跡に残る開口数を少なく抑えることができ、そのことが、内部構造に人手が触れたりすることを防止するために設けられる保護カバーの設置意義を高めることに役立つ。また、連結片の横向き凹入部が上記ガイド軸に嵌合されることによって当該ガイド軸に連結されているので、連結片によって保護カバーをガイド軸に連結するための組立作業を容易にかつ確実に行うことができるようになる。
【００２２】
本発明では、第１〜第３の上記調整用軸受機構の調節用軸受面を形成している水平面が上記シャーシに具備されている水平片部の上面によって形成されていると共に、上記調整用ねじが上記水平片部を貫通するねじ孔にねじ込まれて、対応するガイド軸の外周面に突き当てられている、という構成を採用することが可能である。この構成であれば、ねじ孔にねじ込まれた調整用ねじを回転させるだけで、ガイド軸が調節用軸受面を形成している垂直面に沿って変位してガイド軸の位置調整が行われる。
【００２３】
本発明では、上記下押しばね部を上記水平片部の下面に弾接させることによって、対応するガイド軸を、上記連結片を介して調整用軸受面の上記水平面側に弾圧させていることが望ましい。この構成であると、保護カバーがガイド軸にがたつきなく連結されることになる。
【発明の効果】
【００２４】
以上のように、本発明に係るディスク装置によると、ガイド軸の位置調整に追従して保護カバーの位置を変化させるための構成を採用したので、ガイド軸の位置調整を行ってもガイド軸調整用隙間が一定に保たれ、そのことがガイド軸の位置調整範囲を十分に確保することと、シャーシと保護カバーとの相互間空間の高さを低く抑えて面振れ許容隙間を広く確保すること、との両方の要求が満たされるようになり、光学性能に優れた薄型のディスク装置を提供しやすくなるという効果が奏される。
【００２５】
また、保護カバーをシャーシに位置決めすることに用いる止めビスが不要になり、ガイド軸の位置調整機能を付与するためのコイルばねでなる調整用スプリングが不要になり、さらに、シャーシや保護カバーとは別体の板ばねを用いてガイド軸を軸受面に押し付ける構成を採用することが不要になるので、それらの部品を省略することができ、その結果、部品コストや組立コストが安く抑えられるようになるという効果も奏される。
【図面の簡単な説明】
【００２６】
【図１】本発明の実施形態としてのディスク装置の概略斜視図である。
【図２】図１のＩＩ−ＩＩ線に沿う部分の拡大断面図である。
【図３】基準軸受機構の縦断正面図である。
【図４】基準軸受機構をシャーシ１の下側から見て示した斜視図である。
【図５】第１調整用軸受機構の縦断正面図である。
【図６】第１調整用軸受機構をシャーシの下側から見て示した斜視図である。
【図７】第１調整用軸受機構をシャーシの下側から他の角度で見て示した斜視図である。
【図８】図１のディスク装置の内部構造を拡大して概略で示した部分縦断側面図である。
【図９】従来例としてのディスク装置の概略斜視図である。
【図１０】図９のディスク装置の内部構造を拡大して概略で示した部分縦断側面図である。
【図１１】先行例としての光ディスク装置の概略平面図である。
【図１２】先行例としての光ディスク装置の内部構造を拡大して概略で示した部分縦断側面図である。
【発明を実施するための形態】
【００２７】
図１は本発明の実施形態としてのディスク装置の概略斜視図、図２は図１のＩＩ−ＩＩ線に沿う部分の拡大断面図である。同図において、１はシャーシ（トラバースシャーシ）、２はシャーシ１に被せられた保護カバーであり、保護カバー２は、複数箇所（図例では３箇所）が図２に示した嵌合構造を介してシャーシ１に対して水平方向で位置決めされている。図２の嵌合構造は、保護カバー２に形成された位置決め孔２２と、シャーシ１に形成されて位置決め孔２２に上下変位可能に嵌合された位置決め突起１２との組み合わせでなる。この嵌合構造において、位置決め孔２２は保護カバー２の所定箇所打ち抜くことによって容易に形成され、位置決め突起１２は、シャーシ１に一体に形成しておくことが可能である。図例の位置決め突起１２は平面視円形のポスト形状に形成されている。要するに、位置決め突起１２は位置決め孔２２に嵌合したまま上下変位可能な構成であればよい。保護カバー２をシャーシ１に水平方向で位置決めするための構成として上記した嵌合構造を採用すると、保護カバー２をシャーシ１にビス止めする必要がなくなるので、ビス止めに用いる止めビスを省略することができることになる。したがって、図９に示した従来例に用いられている３本の止めビス１１を省略することが可能である。
【００２８】
保護カバー２に縦長の開口２１が開設されていて、その開口２１内で光ピックアップ３が往復移動可能とされ、その往復移動が主軸と副軸とを形成している一対のガイド軸５１，５５によって案内されるようになっていると共に、保護カバー２の外側（上側）にはターンテーブル４が配備されている。
【００２９】
図８は図１のディスク装置の内部構造を拡大して概略で示した部分縦断側面図である。図１に示した一対のガイド軸５１，５５は、シャーシ１と保護カバー２との相互間空間Ｓに水平方向横並びに配備されているけれども（図１に横方向を矢印Ｘで示してある）、図８では一対のガイド軸５１，５５のうちの一方側のガイド軸５１だけが示されている。ターンテーブル４を回転駆動するためのモータ４１が、シャーシ１に設置されているベースプレート４２に装備されて上記相互間空間Ｓに収容されている。そして、ターンテーブル４に載架された記録媒体としてのディスクＤがモータ４１によって光ピックアップ３との対向位置で回転され、その回転中に光ピックアップ３が開口２１内でディスクＤの半径方向に移動してディスクＤの記録面の光学的処理を行う。この種のディスク装置では、その光学性能を向上させるために光ピックアップ３の位置調整という対策が講じられる。光ピックアップの位置調整は、一対のガイド軸５１，５５の位置調整を通じて行われる。
【００３０】
一対のガイド軸５１，５５のそれぞれの一端部及び他端部の４箇所が図１に示した軸受機構６によって支持されている。そして、これら４箇所の軸受機構６は、一方側のガイド軸５１の一端部を支持する１つの基準軸受機構６０と、一方側のガイド軸５１の他端部を支持してそのガイド軸５１の位置調整機能を備えた第１調整用軸受機構７０と、他方側のガイド軸５５の一端部を支持してそのガイド軸５５の位置調整機能を備えた第２調整用軸受機構９０Ａと、他方側のガイド軸５５の他端部を支持してそのガイド軸５５の位置調整機能を備えた第３調整用軸受機構９０Ｂと、に分かれている。
【００３１】
次に、基準軸受機構６０を図３又は図４を参照して説明する。図３は基準軸受機構６０の縦断正面図、図４は基準軸受機構６０をシャーシ１の下側から見て示した斜視図である。
【００３２】
図３又は図４のように、シャーシ１には、水平片部６２と一対の垂直片部６３とを備えた略Ｕ字形の支持部６１が一体に設けられていて、その支持部６１に一方側のガイド軸５１の一端部が遊嵌状態で挿通されている。これに対し、保護カバー２には、垂直方向に対して略４５度に傾斜した板ばね状のばね部６４が下向きに切起し形成されている。そして、図３のように、そのばね部６４の中間部でガイド軸５１を弾圧させることによって、ガイド軸５１の一端部を上記した水平片部６２と片側の垂直片部６３とに押し付けている。ここで、ガイド軸５１の一端部が押し付けられている水平片部６２や片側の垂直片部６３のそれぞれの内面が水平面６６や垂直面６７になっていて、それらの水平面６６と垂直面６７とが入隅形状の基準軸受面６５を形成している。したがって、ガイド軸５１は、ばね部６４により矢印ａ，ｂのように基準軸受面６５の水平面６６と垂直面６７とに弾性的に押し付けられていると共に、ガイド軸５１の一端部が支持部６１に対する挿通箇所で垂直方向及び水平方向に傾動可能になっている。また、図４のように、ガイド軸５１の一端面には、シャーシ１に設けた突片１３が対峙していて、この突片１３によってガイド軸５１の軸方向前方側への位置ずれが阻止されるようになっている。なお、図４において、１００はモータ、１０１はスクリュー軸であり、これらは図１に示した光ピックアップ３を往復移動させるための駆動系を形成している。
【００３３】
次に、第１調整用軸受機構７０を図５〜図７を参照して説明する。図５は第１調整用軸受機構７０の縦断正面図、図６は第１調整用軸受機構７０をシャーシ１の下側から見て示した斜視図、図７は第１調整用軸受機構７０をシャーシ１の下側から他の角度で見て示した斜視図である。
【００３４】
図５〜図７のように、シャーシ１に、ガイド軸５１の軸線方向に隣接して、略Ｌ字形の突出部７１と垂直な突片部７４とが設けられている。そして、略Ｌ字形の突出部７１の水平片部７５と上記突片部７４とによって支持部７３が形成されていて、その支持部７３に一方側のガイド軸５１の他端部が配備されている。これに対し、保護カバー２には、略垂直方向に延びる板ばね状の横押しばね部７６と、その横押しばね部７６の先端部に折曲形成された略横方向に延びる板ばね状の下押しばね部７７と、が設けられている。さらに、上記横押しばね部７６には連結片７８が折曲形成されていて、この連結片７８の先端部に形成されている横向き凹入部７９が、支持部７３に配備されているガイド軸５１の他端部にがたつきなく嵌合されている。ここで説明した横押しばね部７６、下押しばね部７７及び連結片７８は、保護カバー２の１箇所を切り起こすことによって形成されている。
【００３５】
そして、図５のように、その横押しばね部７６の横向きの弾発力が連結片７８を介して矢印ｃのようにガイド軸５１の他端部に付与されている。また、下押しばね部７７の先端部を略Ｌ字形の突出部７１の水平片部７５の下面に弾接させることによって、横押しばね部７６の弾発力を連結片７８を介して矢印ｄのようにガイド軸５１の他端部に付与している。これに対し、上記水平片部７５にはねじ孔８１が貫通して形成されていて、そのねじ孔８１に水平片部７５の下側から調整用ねじ８２がねじ込まれ、その調整用ねじ８２の先端がガイド軸５１の他端部の外周面下部に突き当てられている。
【００３６】
ここで、略Ｌ字形の突出部７１の水平片部７５の内面や垂直な突片部７４の内面は、それぞれ水平面８４や垂直面８５になっていて、それらの水平面８４と垂直面８５とが入隅形状の調整用軸受面８３を形成している。そして、ガイド軸５１の他端部が、横押しばね部７６の弾発力によって調整用軸受面８３の垂直面８５に弾性的に押しつけられていると共に、下押しばね部７７の弾発力により水平面８４側に弾圧されて調整用ねじ８２の先端面に弾性的に押し付けられている。また、ガイド軸５１の他端部が垂直面８５に沿って上下に変位可能になっている。さらに、図７のように、ガイド軸５１の他端面には、シャーシ１に設けた突片１４が対峙していて、この突片１４によってガイド軸５１の軸方向後方側への位置ずれが阻止されるようになっている。
【００３７】
図１に示した他方側のガイド軸５５の一端部を支持してそのガイド軸５５の位置調整機能を備えている第２調整用軸受機構９０Ａや、他方側のガイド軸５５の他端部を支持してそのガイド軸５５の位置調整機能を備えた第３調整用軸受機構９０Ｂの構成は、図５〜図７を参照して説明した第１調整用軸受機構７０と同様である。そして、第２調整用軸受機構９０Ａは、シャーシ１の縦軸線Ｌ１を挟んで第１調整用軸受機構７０と対称に配備され、第３調整用軸受機構９０Ｂは、シャーシ１の横軸線Ｌ２を挟んで第２調整用軸受機構９０Ａと対称に配備されている。したがって、説明の重複を回避するために、第２調整用軸受機構９０Ａ及び第３調整用軸受機構９０Ｂの詳細構造については、その説明を省略する。
【００３８】
上記した第１調整用軸受機構７０において、調整用ねじ８２を正方向又は逆方向に回転させると、一方側のガイド軸５１の他端部が、下押しばね部７７の付勢に抗して、又は、この下押しばね部７７の付勢により、調整用軸受面８３の垂直面８５に沿って変位する。そのため、一方側のガイド軸５１の傾角が基準軸受機構６０による支持点を支点として増減調整される。また、第２調整用軸受機構９０Ａや第３調整用軸受機構９０Ｂに備わっている調整用ねじを正方向又は逆方向に回転させると、他方側のガイド軸５５の一端部や他端部が変位してその傾角が調整される。
【００３９】
以上説明した実施形態によるディスク装置では、一方側のガイド軸５１について行われる位置調整（傾角調整）が、第１調整用軸受機構７０の調整用ねじ８２と、下押しばね部７７の弾発力によって下向きに付勢されているガイド軸５１の他端部と、の押し合いを通じて行われる。他方側のガイド軸５５について行われる位置調整（傾角調整）は、第２及び第３の調整用軸受機構９０Ａ，９０Ｂの調整用ねじ８２とガイド軸５１の一端部又は他端部との弾性的な押し合いを通じて行われる。したがって、一対のガイド軸５１，５５の位置調整機能を付与するためのコイルばねでなる調整用スプリングが不要になり、さらに、シャーシ１や保護カバー２とは別体の板ばねを用いてガイド軸５１，５５を軸受面に押し付ける構成を採用することも不要になるので、それらの部品を省略することができ、その結果、部品コストや組立コストが安く抑えられるようになる。
【００４０】
また、この実施形態では、図１及び図２を参照して説明した位置決め突起１２と位置決め孔２２との組み合わせによって、シャーシ１に対して、保護カバー２が、水平方向に位置ずれすることなく上下方向（当該ディスク装置の厚さ方向）に変位可能である。しかも、保護カバー２が、第１〜第３の調整用軸受機構７０，９０Ａ，９０Ｂの連結片７８…を介して一対のガイド軸５１，５５に連結されていて、それらのガイド軸５１，５５に対して行われる位置調整（傾角調整など）に追従してガイド軸５１，５５と共に変位する。このため、ガイド軸５１，５５の位置調整を行っても、図８に示したガイド軸調整用隙間Ｃ２が一定に保たれる。このようにガイド軸調整用隙間Ｃ２が一定に保たれるようになっていると、光ピックアップ３とシャーシ１との隙間などを狭くしてシャーシ１と保護カバー２との相互間空間Ｓの縦幅Ｈ１を低く抑えても、ガイド軸調整用隙間Ｃ２を十分に広くしてガイド軸５１，５５の位置調整を不都合なく行えるようになる。したがって、シャーシ１と保護カバー２との相互間空間Ｓの縦幅Ｈ１を低く抑えることにより、ガイド軸調整用隙間Ｃ２を十分に広く確保することと同時に、面振れ許容隙間Ｃ１をも広く確保することが容易に可能になる。
【００４１】
このことから、図９及び図１０を参照して説明した従来例のディスク装置では二律背反する事項になっていたところの、面振れ許容隙間Ｃ１を十分に広くして余裕を持たせることと、ガイド軸調整用隙間Ｃ２を十分に広くするととが、実施形態によって同時に満たされることになる。
【００４２】
また、この実施形態によると、図１１及び図１２を参照して説明した先行例のように保護カバー２にヒンジ部ロを具備させる必要もなく、さらに、この先行例に備わっている不都合、すなわち、保護カバー２に許容されている変位幅によっては、ガイド軸５１，５５の位置調整範囲が制限されるという不都合が生じることもない。
【００４３】
さらに、この実施形態では、第１〜第３の調整用軸受機構７０，９０Ａ，９０Ｂにおいて、下押しばね部７７を横押しばね部７６の先端部に折曲してあるので、それらの横押しばね部７６と下押しばね部７７とを保護カバー２の別々の箇所に形成する必要がなくなる。その結果、保護カバー２の切起し跡に残る開口数を少なく抑えることができるようになり、そのことが、内部構造に人手が触れたりすることを防止するために設けられる保護カバーの設置意義を高めることができるという利点がある。そのほか、連結片７８の横向き凹入部７９がガイド軸５１，５５に嵌合されることによって当該ガイド軸５１，５５に保護カバー２連結されているので、連結片７８によって保護カバー２をガイド軸５１，５５に連結するための組立作業を容易にかつ確実に行うことができるようになる。また、下押しばね部７７を水平片部７５の下面に弾接させることによって、対応するガイド軸５１，５５を、連結片７８を介して調整用軸受面８３の水平面８４側に弾圧させているために、保護カバー２がガイド軸５１，５５にがたつきなく連結されるという利点もある。
【００４４】
なお、説明の便宜上、図１〜図１２を通じて同一又は相応する要素には同一符号を付してある。
【符号の説明】
【００４５】
１  シャーシ
２  保護カバー
３  光ピックアップ
４  ターンテーブル
６  軸受機構
１２  位置決め突起
２１  保護カバーの開口
２２  位置決め孔
５１  一方側のガイド軸
５５  他方側のガイド軸
６０  基準軸受機構
６４  ばね部
６５  基準軸受面
６６  水平面
６７  垂直面
７０  第１調整用軸受機構
７５  水平片部
７６  横押しばね部
７７  下押しばね部
７８  連結片
７９  横向き凹入部
８１  ねじ孔
８２  調整用ねじ
８３  調整用軸受面
８４  水平面
８５  垂直面
９０Ａ  第２調整用軸受機構
９０Ｂ  第３調整用軸受機構
Ｓ  シャーシと保護カバーとの相互間空間
Ｘ  横方向
【図１】
2011096302.tif 000003
【図２】
2011096302.tif 000004
【図３】
2011096302.tif 000005
【図４】
2011096302.tif 000006
【図５】
2011096302.tif 000007
【図６】
2011096302.tif 000008
【図７】
2011096302.tif 000009
【図８】
2011096302.tif 000010
【図９】
2011096302.tif 000011
【図１０】
2011096302.tif 000012
【図１１】
2011096302.tif 000013
【図１２】
2011096302.tif 000014